(57)【要約】【課題】ＵＥ（ユーザ機器）がＰＤＣＣＨ（物理ダウンリンク制御チャネル）またはｅＰＤＣＣＨ（拡張型ＰＤＣＣＨ）送信を受信する無線フレームにおいて、複数のサブフレームを特定する。【解決手段】ＵＥは、複数のＵＬ／ＤＬ（アップリンク／ダウンリンク）サブフレーム構成の複数のインジケーションを受信し、ＵＥがＰＤＣＣＨまたはｅＰＤＣＣＨ送信を受信する１または複数のサブフレームを特定する。ＵＥは、次に、複数の特定されたサブフレームのうち１または複数を監視し、ＤＲＸ（不連続受信）タイマ機能を、複数の特定されたサブフレームのうち１または複数において、基準として用いる。【選択図】図３
2018026883.tif 000002
【特許請求の範囲】
【請求項１】
１又は複数の無線リソース制御（ＲＲＣ）信号を介して、ダウンリンク基準アップリンク／ダウンリンクサブフレーム構成（ＤＬ基準ＵＬ／ＤＬサブフレーム構成）のインジケーションを受信する手段と、
前記インジケーションに基づいて、前記ＤＬ基準ＵＬ／ＤＬの構成に従って、ＤＬ送信と、前記ＤＬ送信に関連するＵＬハイブリッド自動応答要求フィードバック（ＵＬ  ＨＡＲＱフィードバック）との間のインターバルに関するｋ個のサブフレームの値を特定する手段と、
ｋ個のサブフレームの前記値に基づいて、ｋ＋４個のサブフレームのＨＡＲＱ往復時間（ＨＡＲＱ  ＲＴＴ）を特定する手段と、
ｋ＋４個のサブフレームの前記ＨＡＲＱ  ＲＴＴに関連するＨＡＲＱプロセスを実行する手段と
を備える装置。
【請求項２】
前記ＤＬ送信は、物理ダウンリンク共有チャネル（ＰＤＳＣＨ）送信である
請求項１に記載の装置。
【請求項３】
前記ＤＬ送信は、時分割二重（ＴＤＤ）ＤＬ送信である
請求項１又は２に記載の装置。
【請求項４】
前記ＨＡＲＱプロセスは、ＨＡＲＱ再送処理である
請求項１又は２に記載の装置。
【請求項５】
１又は複数のプロセッサによって実行された場合に、
１又は複数の無線リソース制御（ＲＲＣ）信号を介して受信されたダウンリンク基準アップリンク／ダウンリンクサブフレーム構成（ＤＬ基準ＵＬ／ＤＬサブフレーム構成）のインジケーションに基づいて、前記ＤＬ基準ＵＬ／ＤＬの構成に従って、ＤＬ送信と、前記ＤＬ送信に関連するＵＬハイブリッド自動応答要求フィードバック（ＵＬ  ＨＡＲＱフィードバック）との間のインターバルに関するｋ個のサブフレームの値を特定させ、
ｋ個のサブフレームの前記値に基づいて、ｋ＋４個のサブフレームのＨＡＲＱ往復時間（ＨＡＲＱ  ＲＴＴ）を特定させ、
ｋ＋４個のサブフレームの前記ＨＡＲＱ  ＲＴＴに関連するＨＡＲＱプロセスを実行させる
プログラム。
【請求項６】
前記ＤＬ送信は、物理ダウンリンク共有チャネル（ＰＤＳＣＨ）送信である
請求項５に記載のプログラム。
【請求項７】
前記ＤＬ送信は、時分割二重（ＴＤＤ）ＤＬ送信である
請求項５又は６に記載のプログラム。
【請求項８】
前記ＨＡＲＱプロセスは、前記ＵＬ  ＨＡＲＱフィードバックに応じた前記ＤＬ送信の再送に関するタイマの活性化を含む
請求項５又は６に記載のプログラム。
【請求項９】
プロセッサと、
前記プロセッサに結合された送受信機回路と
を備えるユーザ機器（ＵＥ）であって、
前記プロセッサは、
１又は複数の無線リソース制御（ＲＲＣ）信号を介して受信されたダウンリンク基準アップリンク／ダウンリンクサブフレーム構成（ＤＬ基準ＵＬ／ＤＬサブフレーム構成）のインジケーションに基づいて、前記ＤＬ基準ＵＬ／ＤＬの構成に従って、ＤＬ送信に関連する第１のサブフレームと、前記ＤＬ送信に関連するＵＬハイブリッド自動応答要求フィードバック（ＵＬ  ＨＡＲＱフィードバック）に関連する第２のサブフレームとを特定し、
前記第１のサブフレームと前記第２のサブフレームとの間のインターバルに基づいて、ｋ個のサブフレームの値を特定し、
ｋ＋４個のサブフレームの値に関連するタイマを活性化し、
前記送受信機回路は、
前記ＤＬ送信および前記ＤＬ基準ＵＬ／ＤＬサブフレーム構成の前記インジケーションを受信し、
前記ＵＬ  ＨＡＲＱフィードバックを送信する
ＵＥ。
【請求項１０】
前記ＤＬ送信は、時分割二重（ＴＤＤ）物理ダウンリンク共有チャネル（ＰＤＳＣＨ）送信である
請求項９に記載のＵＥ。
【請求項１１】
ｋ＋４個のサブフレームの前記値は、ＨＡＲＱ往復時間（ＨＡＲＱ  ＲＴＴ）に関連する
請求項９又は１０に記載のＵＥ。
【請求項１２】
前記タイマは、ＨＡＲＱ再送に関連する
請求項９又は１０に記載のＵＥ。
【請求項１３】
前記ＤＬ送信は、時分割二重（ＴＤＤ）送信である
請求項９又は１０に記載のＵＥ。
【請求項１４】
１又は複数のプロセッサと、
１又は複数の非一過性のコンピュータ可読媒体と
を備える装置であって、
前記１又は複数の非一過性のコンピュータ可読媒体は、前記１又は複数のプロセッサにより実行された場合に、前記１又は複数のプロセッサに、
１又は複数の無線リソース制御（ＲＲＣ）信号を介して受信されたダウンリンク基準アップリンク／ダウンリンクサブフレーム構成（ＤＬ基準ＵＬ／ＤＬサブフレーム構成）のインジケーションに基づいて、前記ＤＬ基準ＵＬ／ＤＬの構成に従って、ＤＬ送信と、前記ＤＬ送信に関連するＵＬハイブリッド自動応答要求フィードバック（ＵＬ  ＨＡＲＱフィードバック）との間のインターバルに関するｋ個のサブフレームの値を特定させ、
ｋ個のサブフレームの前記値に基づいて、ｋ＋４個のサブフレームのＨＡＲＱ往復時間（ＨＡＲＱ  ＲＴＴ）を特定させ、
ｋ＋４個のサブフレームの前記ＨＡＲＱ  ＲＴＴに関連するタイマを実行させる、命令を含む
装置。
【請求項１５】
前記ＤＬ送信は、物理ダウンリンク共有チャネル（ＰＤＳＣＨ）送信である
請求項１４に記載の装置。
【請求項１６】
前記ＤＬ送信は、時分割二重（ＴＤＤ）ＤＬ送信である
請求項１４又は１５に記載の装置。
【請求項１７】
前記タイマは、前記ＵＬ  ＨＡＲＱフィードバックに応じた前記ＤＬ送信の再送に関連する
請求項１４又は１５に記載の装置。
【請求項１８】
請求項５から８のいずれか一項に記載のプログラムを格納しているコンピュータ可読記録媒体。
【発明の詳細な説明】
【技術分野】
【０００１】
［関連出願の相互参照］本出願は、２０１４年６月２６日に出願された「ＤＲＸ  ＯＰＥＲＡＴＩＯＮ  ＦＯＲ  ＵＬ／ＤＬ  ＲＥＣＯＮＦＩＧＵＲＡＴＩＯＮ」と題する米国特許出願第１４／３１６１８８号の優先権を主張し、それは、２０１３年９月１７日に出願された「Ａｄｖａｎｃｅｄ  Ｗｉｒｅｌｅｓｓ  Ｃｏｍｍｕｎｉｃａｔｉｏｎ  Ｓｙｓｔｅｍｓ ａｎｄ  Ｔｅｃｈｎｉｑｕｅｓ」と題する米国仮特許出願第６１／８７９，０１４号の優先権を主張し、これらの開示の全体が、それらの全体において参照によって本明細書に組み込まれる。［分野］ 本発明の実施形態は、概して、無線フレームにおける不連続受信（ＤＲＸ）機能の技術分野に関する。
【背景技術】
【０００２】
本明細書において提供される背景説明は、本開示の文脈を概して提示することを目的としている。この背景技術の項で説明される程度において、現在名を連ねている発明者らの研究は、及び、出願時における従来技術として認定されないであろう説明の複数の態様は、本開示に対する従来技術として明確にも暗示的にも認められるものではない。本明細書において他に示されていない限り、この項において説明される複数のアプローチは、本開示の特許請求の範囲に対する従来技術ではなく、この項に含まれることによって従来技術として認められるものではない。
【０００３】
ＤＲＸ機能は、物理ダウンリンク制御チャネル（ＰＤＣＣＨ）または拡張型ＰＤＣＣＨ（ｅＰＤＣＣＨ）において複数の信号の受信を省くことによって、無線ネットワークのユーザ機器（ＵＥ）におけるバッテリ電力を節約するために用いられ得る。具体的に、ＵＥは、ＰＤＣＣＨ／ｅＰＤＣＣＨ信号に関し、無線ネットワークにおける無線フレームの１または複数の無線サブフレームを監視し得る。しかしながら、無線フレームの複数のアップリンク（ＵＬ）サブフレームにおいて、ＵＥは、ＰＤＣＣＨ／ｅＰＤＣＣＨ信号に関して、監視しないかもしれない。加えて、ＤＲＸ機能は、１または複数のタイマを含んでよく、これらのタイマが期限切れとなっているかまたは実行中でない場合、ＵＥは、ＰＤＣＣＨ／ｅＰＤＣＣＨ信号に関して監視しないかもしれない。
【図面の簡単な説明】
【０００４】
複数の実施形態は、複数の添付の図面と併せ、以下の詳細な説明によって、容易に理解される。この説明を容易にするべく、同様の参照番号は、同様の構造的要素を指定する。複数の実施形態は、例として示されており、複数の添付の図面の複数の図に限定されるものではない。
【図１】様々な実施形態に従って、ＵＥおよびｅＮｏｄｅＢ（ｅＮＢ）を備えるネットワークの例を概略的に示す。
【図２】様々な実施形態に従って、異なる複数のアップリンク／ダウンリンク（ＵＬ／ＤＬ）サブフレーム構成を監視するための複数のオプションの例を示す。
【図３】様々な実施形態に従って、様々なＵＬ／ＤＬサブフレーム構成において複数のＰＤＣＣＨ送信を監視するための例示的な処理を図示する。
【図４】本明細書において説明される様々な実施形態を実行するべく用いられ得る例となるシステムを概略的に示す。
【発明を実施するための形態】
【０００５】
複数の実施形態において、装置、方法および記憶媒体は、ＵＥがＰＤＣＣＨ／ｅＰＤＣＣＨ送信（本明細書においては集合的にＰＤＣＣＨ送信と呼ばれる）を受信し得る無線フレームにおいて、複数のサブフレームを特定するべく説明され得る。具体的に、ＵＥは、複数のＵＬ／ＤＬサブフレーム構成の複数のインジケーションを受信し得、ＵＥがＰＤＣＣＨ送信を受信し得る１または複数のサブフレームを特定し得る。ＵＥは、次に、複数の特定されたサブフレームの１または複数を監視し得、複数の特定されたサブフレームの１または複数においてＤＲＸタイマ機能を基準として用い得る。
【０００６】
いくつかの実施形態において、ＵＥは、例えばシステム情報ブロックタイプ１（ＳＩＢ１）メッセージ、ＰＤＣＣＨ送信、または無線リソース制御（ＲＲＣ）シグナリング等、複数の相いれないＵＬ／ＤＬサブフレーム構成を受信し得る。例えば、複数のＵＬ／ＤＬ構成のうち１つにおいて、ＵＬサブフレームは、ＤＬまたはスペシャルサブフレーム（すなわち、ダウンリンクパイロットタイムスロット（ＤｗＰＴＳ）を含み得るサブフレーム）であってよい。ＵＥは、複数の矛盾しているＵＬ／ＤＬサブフレーム構成に基づいて、どの複数のサブフレームをＰＤＣＣＨ監視およびＤＲＸ機能に使用するかを特定し得る。
【０００７】
以下の詳細な説明において、その一部を形成する複数の添付の図面が参照される。ここで、同様の番号は、全体を通して同様の部分を指定し、実施され得る複数の実施形態が、例示として示される。複数の他の実施形態が用いられてよく、本開示の範囲を逸脱することなく、構造的または論理的な複数の変更がされてよいことを理解すべきである。ゆえに、以下の詳細な説明は、限定の意味で理解されるべきでない。
【０００８】
様々な動作は、順に、複数の別個のアクションまたは動作として、特許請求の範囲に記載された主題の理解に最も有用な態様で、説明されてもよい。しかしながら、説明の順序は、これらの動作が必ず順序に依存することを示唆するものとして解釈されてはならない。特に、これらの動作は、説明の順序において実行されなくてもよい。説明される複数の動作は、説明された実施形態と異なる順序で実行されてもよい。様々な追加の動作が実行されてよく、および／または、記載の複数の動作は複数の追加の実施形態において省略されてよい。
【０００９】
本開示の目的のために、「Ａおよび／またはＢ」という表現は、（Ａ）、（Ｂ）または（ＡおよびＢ）を意味する。本開示の目的のために、「Ａ、Ｂおよび／またはＣ」という文言は、（Ａ）、（Ｂ）、（Ｃ）、（ＡおよびＢ）、（ＡおよびＣ）、（ＢおよびＣ）または（Ａ、ＢおよびＣ）を意味する。
【００１０】
説明は、「実施形態において」または「複数の実施形態において」という語句を用いるが、これらは各々、同じまたは異なる複数の実施形態のうち１または複数を指してもよい。さらに、「備える」、「含む」、「有する」等の用語は、本開示の複数の実施形態に関して用いられるように、同義語である。
【００１１】
図１は、様々な実施形態に従って、例示的な無線ネットワーク１００（以下、「ネットワーク１００」）を概略的に示す。ネットワーク１００は、ｅＮＢ１０５に結合されたＵＥ１１０等、ＵＥを含み得る。いくつかの実施形態において、ネットワーク１００は、進化型ユニバーサル地上無線アクセスネットワーク（Ｅ−ＵＴＲＡＮ）等、第３世代パートナーシッププロジェクト（３ＧＰＰ）ロングタームエボリューション（ＬＴＥ）ネットワークのアクセスネットワークであってよい。これらの実施形態において、ｅＮＢ１０５は、３ＧＰＰ  ＬＴＥ無線プロトコル等の無線プロトコルを用いてＵＥ１１０と無線通信するように構成された３ＧＰＰ規定のｅＮｏｄｅＢ（進化型ＮｏｄｅＢとしてもまた呼ばれる）であってよい。
【００１２】
図１に示されるように、ＵＥ１１０は、マルチモード送受信機チップとしてもまた呼ばれる送受信機モジュール１２２を含んでよい。送受信機モジュール１２２は、複数の無線信号を送信し受信するように構成され得る。具体的に、送受信機モジュール１２２は、例えば、ｅＮＢ１０５または他のＵＥ等、ネットワーク１００の複数の他のコンポーネントと無線で通信するためのＵＥ１１０の複数のアンテナ１２５の１または複数に結合され得る。複数のアンテナ１２５は、電力増幅器１３０によって電力供給されてよく、電力増幅器１３０は、送受信機モジュール１２２のコンポーネントであってよく、または、図１に示されるように、送受信機モジュール１２２に結合されてよく、概して送受信機モジュール１２２と複数のアンテナ１２５との間にあってよい。一実施形態において、電力増幅器１３０は、複数のアンテナ１２５におけるすべての送信に対し電力を提供し得る。複数の他の実施形態において、ＵＥ１１０上に複数の複数の電力増幅器があってもよい。多重アンテナ１２５の使用は、ＵＥ１１０が、空間直交リソース送信ダイバーシチ（ＳＯＲＴＤ）、多入力多出力（ＭＩＭＯ）、または全次元ＭＩＭＯ（ＦＤ−ＭＩＭＯ）等の複数の送信ダイバーシチ技術を使用することを可能にし得る。
【００１３】
特定の複数の実施形態において、送受信機モジュール１２２は、ブロードバンドモジュールと呼ばれてよい通信モジュール１２０を含んでよい。通信モジュール１２０は、複数のアンテナ１２５に、ＵＥ１１０から１または複数の信号を送信させるように構成された送信回路１４５、および複数のアンテナ１２５に、ＵＥ１１０で１または複数の信号を受信させるように構成された受信回路１５０の両方を含んでよい。複数の他の実施形態において、通信モジュール１２０は、例えば受信回路１５０を含む１つのチップおよび送信回路１４５を含むもう１つのチップ等、複数の別々のチップまたはモジュールにおいて実施され得る。いくつかの実施形態において、複数の信号は、ｅＮＢ１０５等、３ＧＰＰ  ｅＮＢへ送信された、またはそこから受信された複数のセルラ信号であってよい。いくつかの実施形態において、ＵＥ１１０は、送受信機モジュール１２２に結合されたプロセッサ１７５を含み得る。プロセッサ１７５は、更に、以下において更に詳細に説明されるＤＲＸ機能のうち１または複数を実行するように構成され得るＤＲＸモジュール１８０に結合されてよく、またはそれを含んでよい。
【００１４】
ＵＥ１１０と同様に、ｅＮＢ１０５は、送受信機モジュール１３５を含んでよい。送受信機モジュール１３５は、例えばＵＥ１１０等、ネットワーク１００の複数の他のコンポーネントと無線通信するために、ｅＮＢ１０５の複数のアンテナ１４０のうち１または複数に更に結合されてよい。複数のアンテナ１４０は、電力増幅器１６０によって電力供給されてよく、電力増幅器１６０は、送受信機モジュール１３５のコンポーネント、または図１に示されるように、ｅＮＢ１０５の別のコンポーネントであってよく、送受信機モジュール１３５と複数のアンテナ１４０との間に一般に位置され得る。一実施形態において、電力増幅器１６０は、複数のアンテナ１４０上のすべての送信に対し電力を提供し得る。複数の他の実施形態において、ｅＮＢ１０５上に複数の電力増幅器があってよい。複数のアンテナ１４０の使用は、ｅＮＢ１０５が、ＳＯＲＴＤ、ＭＩＭＯ、またはＦＤ−ＭＩＭＯ等の複数の送信ダイバーシチ技術を使用することを可能ににし得る。複数の特定の実施形態において、送受信機モジュール１３５は、複数のアンテナ１４０にｅＮＢ１０５から１または複数の信号を送信させるように構成された送信回路１６５、および複数のアンテナ１４０にｅＮＢ１０５で１または複数の信号を受信させるように構成された受信回路１７０の両方を含み得る。複数の他の実施形態において、送受信機モジュール１３５は、互いに別個のものである送信回路１６５及び受信回路１７０（不図示）によって置き換えられてよい。いくつかの実施形態において、図示されていないものの、送受信機モジュール１３５は、受信回路１７０および送信回路１６５を含む通信モジュール１２０等の通信モジュールを含んでよい。
【００１５】
上述のように、ＤＲＸ機能は、ＵＥ１１０等のＵＥのバッテリ寿命を保持するべく、ネットワーク１００等のネットワークにおいて用いられてもよい。具体的に、ＤＲＸ機能は、ＵＥが、ＰＤＣＣＨにおけるＤＬ信号について監視しない、低電力またはスリープ状態に入ることを可能にすることによって、バッテリを保持してよい。ネットワーク１００におけるトラフィック到着レートがどのくらい予測可能であるかに依存して、およびネットワーク１００の無線ベアラーに関連づけられる複数のサービス品質（ＱｏＳ）要求に基づいて、ｅＮＢ１０５等のｅＮＢは、ＵＥがネットワーク１００等のＬＴＥシステムにおいて使用するための１つのＤＲＸインターバルを構成し得る。ＰＤＣＣＨまたはＰＤＣＣＨ信号を指している以下の説明は、ｅＰＤＣＣＨまたはｅＰＤＣＣＨ信号に対して更に適用されてもよいことに留意されたい。しかしながら、参照しやすいように、ＰＤＣＣＨのみが以下に参照されるであろう。
【００１６】
いくつかの実施形態において、ネットワーク１００は、時分割二重（ＴＤＤ）ネットワークとして構成されてよい。具体的に、いくつかの実施形態において、無線フレームは、１０ミリ秒（ｍｓ）の長さであってよい。無線フレームは、当該無線フレームの１０個のサブフレームを含んでよく、各サブフレームは１ｍｓの長さである。無線フレームのサブフレームは、ＵＬ、ＤＬ、またはスペシャルサブフレームとして指定され得る。ＵＬサブフレームは、ＵＥ１１０等のＵＥから、ｅＮＢ１０５等のｅＮＢへの送信用に指定されたサブフレームであってよい。ＤＬサブフレームは、ｅＮＢ１０５からＵＥ１１０への送信用に指定されたサブフレームであってよい。スペシャルサブフレームは、ｅＮＢ１０５からＵＥ１１０へ送信されるＤｗＰＴＳを搬送し得る、または含み得るサブフレームであってよい。
【００１７】
無線フレームのサブフレームは、ＵＬサブフレーム、ＤＬサブフレームまたはスペシャルサブフレームとして指定されるかどうかは、無線フレームのＵＬ／ＤＬ構成によって示され得る。以下の表１は、いくつかの実施形態において用いられてよい様々なＵＬ／ＤＬ構成を図示する。表１に図示される複数のＵＬ／ＤＬ構成は、フレーム構造２を有する３ＧＰＰ無線フレームに具体的に適用され得る。複数の他の実施形態において、複数の他のＵＬ／ＤＬ構成が用いられてよい。表１において、「Ｄ」は、ＤＬサブフレームを示し得る。「Ｕ」は、ＵＬサブフレームを示し得る。「Ｓ」は、スペシャルサブフレームを示し得る。
【００１８】
【表１】
2018026883.tif 000003
【００１９】
そのようなＴＤＤネットワークにおける複数のＴＤＤキャリアについて、ＤＲＸ動作は、ＰＤＣＣＨ信号がＵＥによって受信され得るサブフレームに基づいてよい。具体的に、ＵＥは、本明細書において参照しやすいようにＰＤＣＣＨサブフレームとして集合的に呼ばれる、ＤＬサブフレームまたはスペシャルサブフレーム（すなわち、ＤｗＰＴＳを含み得るサブフレーム）の何れかにおいてＰＤＣＣＨ信号を受信してよい。具体的に、ＵＥは、ＰＤＣＣＨサブフレームにおいてのみＰＤＣＣＨについて監視し得、ＵＬサブフレームにおいてはＰＤＣＣＨ信号について監視しない可能性がある。更に、ＵＥは、アクティブなＤＲＸ関連のタイマが実行中であるか、またはアップリンク認可が保留中である場合のみ、複数のＰＤＣＣＨサブフレームにおいてＰＤＣＣＨについて監視し得る。
【００２０】
以下に説明されるように、実行中のＤＲＸ関連のタイマは、それが実行中である複数のＰＤＣＣＨサブフレームの間のみインクリメントする可能性があり、ＵＬサブフレームの間にはインクリメントしない可能性がある。例えば、ＰＤＣＣＨサブフレームｙにおいてｘの値を持つＤＲＸ関連のタイマは、ＰＤＣＣＨサブフレームｙ＋１において値ｘ＋１にインクリメントし得る。ｘおよびｙの値は、ＰＤＣＣＨサブフレームｙとＰＤＣＣＨサブフレームｙ＋１との間で１または複数のＵＬサブフレームがあるかどうかに関係なくてもよい。以下に説明されるように、一旦ＤＲＸタイマが設定値に到達すると、タイマは終了し得る。
【００２１】
複数の実施形態において、ＴＤＤネットワーク１００において用いられる３個のＤＲＸタイマがあってよい。これらのタイマは、ＤＲＸ継続タイマ（本明細書においてｏｎＤｕｒａｔｉｏｎＴｉｍｅｒと呼ばれる）、ＤＲＸ非活動タイマ（本明細書においてＤＲＸ−ＩｎａｃｔｉｖｉｔｙＴｉｍｅｒと呼ばれる）、またはＤＲＸ再送信タイマ（本明細書においてＤＲＸ−ＲｅｔｒａｎｓｍｉｓｓｉｏｎＴｉｍｅｒと呼ばれる）を含んでよい。ｏｎＤｕｒａｔｉｏｎＴｉｍｅｒは、ＵＥ１１０がＰＤＣＣＨ信号について監視すべきである、無線フレームにおける複数のＰＤＣＣＨサブフレームの番号を示してよい。例えば、無線フレームにおける複数のサブフレームが０−９の番号が付けられる場合、ｏｎＤｕｒａｔｉｏｎＴｉｍｅｒの値の２は、ＵＥ１１０がＰＤＣＣＨ信号についてサブフレーム０および１を監視すべきである（サブフレーム０および１はＰＤＣＣＨサブフレームであると仮定して）ことを示してよい。
【００２２】
ＤＲＸ−Ｉｎａｃｔｉｖｉｔｙ  Ｔｉｍｅｒは、第１のＰＤＣＣＨ信号が無線フレームにおいて受信された後、ＵＥ１１０がＰＤＣＣＨ信号について監視すべきである複数のＰＤＣＣＨサブフレームの番号を示してよい。
【００２３】
具体的な例として、無線フレームがＵＬ／ＤＬ構成０で構成されていると仮定すると、ｏｎＤｕｒａｔｉｏｎＴｉｍｅｒの値は２であって、且つＤＲＸ−Ｉｎａｃｔｉｖｉｔｙ  Ｔｉｍｅｒの値は２である。表１に見られるように、サブフレーム０、１、５および６は、ＰＤＣＣＨサブフレームであってよい。サブフレーム２―４および７―９は、ＰＤＣＣＨサブフレームでない可能性がある。
【００２４】
ｏｎＤｕｒａｔｉｏｎＴｉｍｅｒに基づいて、ＵＥ１１０は、ＰＤＣＣＨ信号について、サブフレーム０および１（それぞれＤＬおよびスペシャルサブフレームであり、ゆえに両方はＰＤＣＣＨサブフレームである）を監視し得る。ＵＥ１１０がサブフレーム０または１においてＰＤＣＣＨ信号を受信しない場合、ＵＥ１１０は次に、ＰＤＣＣＨ信号について、例えば低電力またはスリープモードに入ることによって、サブフレーム２―９を監視しない可能性がある。
【００２５】
しかしながら、ＵＥ１１０がサブフレーム０においてＰＤＣＣＨ信号を受信する場合、ＵＥは次に、ｏｎＤｕｒａｔｉｏｎＴｉｍｅｒによって示される値を超えてアウェイクのままで留まり得、ＤＲＸ−Ｉｎａｃｔｉｖｉｔｙ  Ｔｉｍｅｒの値に基づいて複数のＰＤＣＣＨサブフレームを監視し得る。例えば、ＤＲＸ−ＩｎａｃｔｉｖｉｔｙＴｉｍｅｒの値（２である）に基づいて、ＵＥ１１０は、ＰＤＣＣＨ信号についてサブフレーム０を超えて２個の追加のＰＤＣＣＨサブフレームを監視し得る。この例において、次に、ＵＥ１１０は、ＰＤＣＣＨ信号についてＰＤＣＣＨサブフレーム０、１および５を監視し得る。上に述べたように、サブフレーム２―４は、ＰＤＣＣＨサブフレームでない可能性があることから、ＵＥは、サブフレーム２―４において、例えばＤＲＸ低電力またはスリープモードに入ることによって、ＰＤＣＣＨ信号について監視しない可能性がある。加えて、ＤＲＸ−ＩｎａｃｔｉｖｉｔｙＴｉｍｅｒの終了の際、ＵＥは、サブフレーム６―９のためのＤＲＸ低電力またはスリープモードに入ってよい。同様に、ＵＥ１１０がサブフレーム１においてＰＤＣＣＨ信号を受信する場合、ＵＥ１１０は次に、ＤＲＸ−ＩｎａｃｔｉｖｉｔｙＴｉｍｅｒに基づき、ＰＤＣＣＨ信号についてＰＤＣＣＨサブフレーム５および６を監視してよく、ＰＤＣＣＨサブフレーム２―４および７―９のためのＤＲＸ低電力またはスリープモードに入ってよい。
【００２６】
ＤＲＸ−Ｒｅｔｒａｎｓｍｉｓｓｉｏｎ  Ｔｉｍｅｒは、１または複数のスケジューリングされたＤＬハイブリッド自動再送要求（ＨＡＲＱ）再送信について監視するＵＥ１１０に関連し得る。具体的に、ＤＲＸ−Ｒｅｔｒａｎｓｍｉｓｓｉｏｎ  Ｔｉｍｅｒを用いて、ＵＥ１１０は、そのＵＥ１１０またはｅＮＢ１０５がスケジューリング可能な保留の再送信を有する限り、ＨＡＲＱ再送信の第１の可能なインスタンスからのＰＤＣＣＨ信号について、複数のＰＤＣＣＨサブフレームを監視するように構成され得る。
【００２７】
いくつかの実施形態において、表１において上述された複数のＵＬおよびＤＬサブフレームおよび複数のＵＬ／ＤＬ構成のこの半静的な配分は、ネットワーク１００の現在のトラフィック状況に関して適切でない可能性があり、ゆえに、最適化されていないスペクトル利用を結果としてもたらし得ることが観察されている。ゆえに、いくつかの実施形態において、無線フレームは、複数の「フレキシブル」なサブフレーム（ＦｌｅｘＳＦとしてもまた呼ばれる）を含んでよい。フレキシブルなサブフレームは、ＵＬまたはＤＬトラフィックが可能なサブフレームであってよい。いくつかの実施形態において、フレキシブルなサブフレームの方向は、ｅＮＢ１０５等のｅＮＢによって動的に構成され得る。これらのフレキシブルなサブフレームを用い、ｅＮＢ１０５は、ネットワーク１００の現在のトラフィック状況に一致するように複数のフレキシブルなサブフレームを動的に構成することが可能であってよい。複数のサブフレームは、例えば、拡張された干渉軽減およびトラフィック適合（ｅＩＭＴＡ）を使用するように構成された、リリース１２（Ｒｅｌ−１２）ＬＴＥネットワーク等のＬＴＥネットワークにおいて適切であってよい。いくつかの実施形態において、フレキシブルなサブフレームは、無線フレームの１または複数のサブフレーム３、４または６―９であってよい。具体的に、いくつかの実施形態において、サブフレーム３、４および７―９は、ＵＬまたはＤＬサブフレームの何れかであってよい。サブフレーム６は、スペシャルサブフレームまたはＤＬサブフレームであってよい。
【００２８】
しかしながら、無線フレームの複数の特定のサブフレームは、ＵＬまたはＤＬサブフレームの何れかであるかもしれないことから、無線フレームのどのサブフレームがＰＤＣＣＨサブフレームであるか特定することは困難であるかもしれない。複数のＵＬ／ＤＬ構成が、ＵＥ１１０に対してｅＮＢ１０５によって示される場合、無線フレームのどのサブフレームがＰＤＣＣＨサブフレームであるか特定することは、特に困難であるかもしれない。ゆえに、ＤＲＸタイマがインクリメントされるべきである場合、またはＵＥ１１０がＰＤＣＣＨ信号について監視すべきである場合を特定することは困難であるかもしれない。ＵＥ１１０が、ＰＤＣＣＨ信号について全てのＰＤＣＣＨおよびフレキシブルなサブフレームを監視することもまた、効率のよくない可能性がある。なぜならば、そうすることによって、ＵＥ１１０のバッテリ寿命が実質的に減少する可能性があるからである。
【００２９】
いくつかの実施形態において、３個のＵＬ／ＤＬ構成は、ｅＮＢ１０５等のｅＮＢによって、ＵＥ１１０等のＵＥへ独立してシグナリングされ得る。第１に、ｅＮＢ１０５は、ＵＬ／ＤＬ構成をＵＥ１１０に対しＳＩＢ１メッセージにおいてシグナリングし得、これは、本明細書においてＳＩＢ１  ＵＬ／ＤＬ構成と呼ばれる。ＳＩＢ１  ＵＬ／ＤＬ構成は、複数の無線フレームに対して適用可能であってよい。
【００３０】
第２に、ｅＮＢ１０５は、ＵＬ／ＤＬ構成をＵＥ１１０に対して、無線フレームの第１のサブフレームまたはより高い層で構成されたサブフレームにおけるＰＤＣＣＨまたはｅＰＤＣＣＨメッセージにおいて、シグナリングし得る。参照しやすいように、ＰＤＣＣＨサブフレームにおいてシグナリングされたＵＬ／ＤＬ構成は、本明細書において、「実際の」ＵＬ／ＤＬ構成と呼ばれるであろう。いくつかの実施形態において、実際のＵＬ／ＤＬ構成は、ＰＤＣＣＨサブフレームが一部である無線フレームにのみ適用可能であってよい。例えば、実際のＵＬ／ＤＬ構成は、無線フレームのサブフレーム０においてシグナリングされ得、その無線フレームに適用し得る。
【００３１】
複数の他の実施形態において、その時はＰＤＣＣＨサブフレームであるＵＬ／ＤＬ構成信号は、後続の無線フレームに適用可能であってよい。
【００３２】
第３に、ｅＮＢ１０５は、ＵＬ／ＤＬ構成をＵＥ１１０に対して、無線リソース制御（ＲＲＣ）シグナリングを介してシグナリングしてもよい。このＵＬ／ＤＬ構成は、「ＤＬ基準」ＵＬ／ＤＬ構成と呼ばれるであろう。ＳＩＢ１  ＵＬ／ＤＬ構成と同様に、ＤＬ基準のＵＬ／ＤＬ構成は、複数の無線フレームに適用可能であってよい。ＤＬ基準のＵＬ／ＤＬ構成は、概して、物理的ダウンリンク共有チャネル（ＰＤＳＣＨ）受信に関連付けられるＤＬ  ＨＡＲＱタイミングの決定に適用可能であってよい。いくつかの実施形態において、ＤＬ基準のＵＬ／ＤＬ構成は、ｋ＋４個のサブフレームに設定され得るＨＡＲＱ往復時間（ＲＴＴ）に関連付けられてよく、ここで、ｋは、ＤＬ送信とＤＬ基準のＵＬ／ＤＬ構成に従って、関連するＨＡＲＱフィードバックのＵＬ送信との間のインターバルである。
【００３３】
図２は、ＵＥ１１０がＰＤＣＣＨ信号について監視し、フレーム構造２に従い、フレキシブルなサブフレームを含んで構成された無線フレームに関しＤＲＸタイマをインクリメントするために使用すべきであるＵＬ／ＤＬ構成を特定するための４つの異なるオプションを図示する。図２に示されるように、フレーム構造２に従って、サブフレーム０および５は、複数のＤＬサブフレームであってよく、サブフレーム１は、スペシャルサブフレームであってよく、サブフレーム２は、アップリンクサブフレームであってよい。加えて、フレーム構造２に従って、サブフレーム３、４および７―９は、フレキシブルなサブフレームであって、ここで、複数のサブフレームは、ＵＬまたはＤＬサブフレームの何れかであってよい。最後に、フレーム構造２に従って、サブフレーム６は、スペシャルまたはＤＬサブフレームの何れかであってよい。参照しやすいように、図２に示される複数の構成は、例えば、オプション２、オプション３、およびオプション４に関し、表１において上に示される複数のＵＬ／ＤＬ構成を指していると仮定されたい。
【００３４】
第１の、および最も単純なオプション（図２においてオプション１として示される）として、ＵＥ１１０は、ＳＩＢ１メッセージによって示され得る各々の可能なＵＬ／ＤＬ構成における複数のＰＤＣＣＨサブフレームである複数のＰＤＣＣＨサブフレームのみにおいて、ＰＤＣＣＨ監視およびＤＲＸタイマ機能を基準として用い得る。図２に示されるように、オプション１に関して「Ｘ」でマーク付けされた複数のサブフレームに従って、複数のＰＤＣＣＨサブフレームは、サブフレーム０、１、５および６であってよい。サブフレーム０、１、５および６が、各々の可能なＵＬ／ＤＬ構成についての複数のＰＤＣＣＨサブフレームであってよい理由は、表１に見られるかもしれなく、ここで、示される７個のＵＬ／ＤＬ構成の各々に関し、サブフレーム０、１、５および６は、ＤＬまたはスペシャルサブフレームの何れかであってよい。
【００３５】
第２のオプション（図２においてオプション２として示される）として、ＵＥ１１０は、ＰＤＣＣＨ監視およびＤＲＸタイマ機能を、ＳＩＢ１  ＵＬ／ＤＬ構成における複数のＰＤＣＣＨサブフレームとして特定されている複数のＰＤＣＣＨサブフレームにおいてのみ基準として用いてよい。  例えば、このオプションにおいて、ＳＩＢ１  ＵＬ／ＤＬ構成が表１のＵＬ／ＤＬ構成１である場合、複数のＰＤＣＣＨサブフレームは、サブフレーム０、１および４―６であってよい。オプション１および２の両方は、ＵＥ１１０でＤＲＸ状態が予測可能であることを可能にすることの利益を提供してよく、複数の静的ＤＬサブフレームをＤＲＸ動作についてのみカウントすることに起因してＵＥ１１０とｅＮＢ１０５との間において不一致が無いことを保証することを援助してよい。従って、望ましくないデータ損失は回避され得る。
【００３６】
第３のオプション（図２においてオプション３として示される）として、ＵＥ１１０は、ＤＬ基準のＵＬ／ＤＬ構成における複数のＰＤＣＣＨサブフレームとして特定されている複数のＰＤＣＣＨサブフレームにおいてのみ、ＰＤＣＣＨ監視およびＤＲＸタイマ機能を基準として用いてよい。例えば、このオプションにおいて、ＤＬ基準のＵＬ／ＤＬ構成が表１のＵＬ／ＤＬ構成２である場合、複数のＰＤＣＣＨサブフレームはサブフレーム０、１、３―６、８および９であってよい。
【００３７】
いくつかの実施形態において、オプション１、２または３は、レガシーＤＲＸタイマに関して用いられる「ＰＤＣＣＨサブフレーム」定義から分離したＰＤＣＣＨ監視に至り得ることが見られるかもしれない。具体的に、複数のフレキシブルなサブフレームは、複数のＵＥのための共通のＵＬ／ＤＬ構成に従ってＰＤＣＣＨ信号について監視され得るが、それらは、ＵＥ１１０でのＤＲＸタイマの複数の目的のためにはカウントされないかもしれない。
【００３８】
第４のオプション（図２においてオプション４として示される）として、ＵＥ１１０は、実際のＵＬ／ＤＬ構成における複数のＰＤＣＣＨサブフレームとして特定されている複数のＰＤＣＣＨサブフレームにおいてのみＰＤＣＣＨ監視およびＤＲＸタイマ機能を基準として用いてよい。例えば、このオプションにおいて、実際のＵＬ／ＤＬ構成が表１のＵＬ／ＤＬ構成３である場合、複数のＰＤＣＣＨサブフレームは、サブフレーム０、１および５―９であってよい。このオプションは、複数のフレキシブルなサブフレームにおいて送信方向を変更することに関わらず、ＵＥ１１０のスケジューリングの機会の数を、時と共に一定に保つことの利益を有してよく、そのことによって、ＵＥバッテリ消費を最適化する。
【００３９】
いくつかの実施形態において、オプション４を用いる複数のネットワークについて、ＵＥ１１０は、ＵＥのグループについて共通のダウンリンク制御情報（ＤＯ）送信を逃すかもしれなく、それは、用いられている実際のＵＬ／ＤＬ構成の複数のＵＬ／ＤＬサブフレームに関してアクティブなＵＥ１１０とｅＮＢ１０５との間の照準ミスを結果としてもたらし得る。結果として、ＵＥ１１０およびｅＮＢ１０５は、ＤＲＸ状態および／またはＤＲＸタイマにおいて同期から外れてもよく、または複数の異なるＤＲＸパターンに従ってもよい。いくつかの実施形態において、ＵＥ１１０は、フォールバック位置としてデフォルトのオプション１になってもよい。
【００４０】
いくつかの実施形態において、複数の異なるＵＬ／ＤＬ構成が、複数の異なるＤＲＸタイマに対して用いられてもよい。例えば、ｏｎＤｕｒａｔｉｏｎＴｉｍｅｒおよびＤＲＸ−ＩｎａｃｔｉｖｉｔｙＴｉｍｅｒは、ＤＲＸ−ＲｅｔｒａｎｓｍｉｓｓｉｏｎＴｉｍｅｒがネットワーク１００のＨＡＲＱ動作により直接関連し得るが、他の２個のタイマはそうでないことから、ＤＲＸ−ＲｅｔｒａｎｓｍｉｓｓｉｏｎＴｉｍｅｒとは異なるＵＬ／ＤＬ構成に基づいてよい。例えば、ｏｎＤｕｒａｔｉｏｎＴｉｍｅｒおよびＤＲＸ−ＩｎａｃｔｉｖｉｔｙＴｉｍｅｒは、オプション１、２または４を用いて最適化され得る。それに反して、ＤＲＸ−ＲｅｔｒａｎｓｍｉｓｓｉｏｎＴｉｍｅｒは、ＨＡＲＱ再送信により近く関連していることから、オプション３に関して説明されるＤＬ基準のＵＬ／ＤＬ構成は、そのタイマに対してより適切であるかもしれない。
【００４１】
図２に見られるように、１つのＵＬ／ＤＬ構成は、フレキシブルなサブフレームにおいてＰＤＣＣＨサブフレームを示してよいが、複数のＵＬ／ＤＬ構成のうちもう１つは、ＵＬサブフレームを示す。例えば、オプション２に関して図示されたＵＬ／ＤＬ構成１は、フレキシブルなサブフレーム３がＵＬサブフレームであることを示してよいが、オプション３に関して図示されたＵＬ／ＤＬ構成２は、ＰＤＣＣＨサブフレームであってよい。しかしながら、オプション１から４までのうち１つを選択することによって、ネットワーク１００は、ＵＥ１１０によって受信される複数のＵＬ／ＤＬ構成のうち１つが、ＵＥ１１０によって受信される複数のＵＬ／ＤＬ構成のうちのもう１つと相いれない複数の状況において、ＤＲＸ機能およびＰＤＣＣＨ監視をより効果的に利用することが可能であってよい。
【００４２】
図３は、ＵＥ１１０等のＵＥによって実行され得る例示的な処理を図示する。初期において、ＵＥ１１０は、３００で無線フレームの複数のサブフレームに適用可能な複数のＵＬ／ＤＬ構成の複数のインジケーションを受信し得る。例えば、ＵＥ１１０は、ＳＩＢ１  ＵＬ／ＤＬ構成、実際のＵＬ／ＤＬ構成、またはＤＬ基準のＵＬ／ＤＬ構成のうちの１または複数のインジケーションを受信し得る。
【００４３】
次に、ＵＥ１１０は、３０５で複数の受信されたＵＬ／ＤＬ構成のうち１つに従って複数のＤＬサブフレームおよびＤｗＰＴＳを含んでよい複数のサブフレームを特定してよく、３１０でＤＲＸタイマを開始してよい。ＤＲＸタイマは、例えば、上述の複数のＤＲＸタイマのうち１つであってよい。ＤＬサブフレームまたはＤｗＰＴＳサブフレームは、上述のようにＰＤＣＣＨサブフレームであってよい。
【００４４】
次に、ＵＥ１１０は、ＤＲＸタイマが３１５で実行されている間、特定された複数のＤＬサブフレームおよびＤｗＰＴＳを含んでよい複数のサブフレーム（すなわちＰＤＣＣＨサブフレーム）においての送信について、ＰＤＣＣＨまたはｅＰＤＣＣＨを監視し得る。更に、ＵＥ１１０は、上述のように、３２０で特定された複数のＤＬサブフレームおよびＤｗＰＴＳを含んでよい複数のサブフレームにおいてのみＤＲＸタイマをインクリメントし得る。すなわち、ＰＤＣＣＨサブフレームｙにおいてｘの値を持つＤＲＸ関連のタイマは、ＰＤＣＣＨサブフレームｙとＰＤＣＣＨサブフレームｙ＋１との間に非ＰＤＣＣＨ（すなわちＵＬ）サブフレームがあるかどうかに関わらず、ＰＤＣＣＨサブフレームｙ＋１において値ｘ＋１にインクリメントし得る。一旦ＤＲＸタイマが設定値に到達すると、タイマは、上記のように終了し得る。
【００４５】
本開示の複数の実施形態は、所望されるように構成するべく、任意の適切なハードウェアおよび／またはソフトウェアを用いてシステム中において実施されてよい。図４は、本明細書において説明される様々な実施形態を実行するために用いられ得る例となるシステム４００を概略的に示す。図４は、一実施形態について、１または複数のプロセッサ４０５、（複数の）プロセッサ４０５のうち少なくとも１つに結合されたシステム制御モジュール４１０、システム制御モジュール４１０に結合されたシステムメモリ４１５、システム制御モジュール４１０に結合された不揮発性メモリ（ＮＶＭ）／ストレージ４２０、およびシステム制御モジュール４１０に結合された１または複数の通信インタフェース４２５を有する例となるシステム４００を示す。
【００４６】
いくつかの実施形態において、システム４００は、本明細書において説明されるようにＵＥ１１０として機能することが可能であってよい。複数の他の実施形態において、システム４００は、本明細書において説明されるように、ｅＮＢ１０５として機能することが可能であってよい。いくつかの実施形態において、システム４００は、複数の命令および１または複数のコンピュータ可読媒体に結合され、本明細書において説明される複数のアクションを実行するモジュールを実施するべく複数の命令を実行するように構成された１または複数のプロセッサ（例えば（複数の）プロセッサ４０５）を有する１または複数のコンピュータ可読媒体（例えば、システムメモリまたはＮＶＭ／ストレージ４２０）を含んでよい。
【００４７】
一実施形態についてのシステム制御モジュール４１０は、（複数の）プロセッサ４０５のうち少なくとも１つ、および／またはシステム制御モジュール４１０と通信している任意の適切なデバイスもしくはコンポーネントに、任意の適切なインタフェースを提供するための複数の任意の適切なインタフェースコントローラを含んでよい。
【００４８】
システム制御モジュール４１０は、インタフェースをシステムメモリ４１５に提供するメモリ制御モジュール４３０を含んでよい。メモリ制御モジュール４３０は、ハードウェアモジュール、ソフトウェアモジュール、および／またはファームウェアモジュールであってよい。
【００４９】
システムメモリ４１５は、例えばシステム４００に対し、データおよび／または複数の命令をロードし格納するために用いられ得る。一実施形態についてのシステムメモリ４１５は、例えば適切な動的ランダムアクセスメモリ（ＤＲＡＭ）等、任意の適切な揮発性メモリを含んでよい。いくつかの実施形態において、システムメモリ４１５は、ダブルデータレートタイプ４同期ＤＲＡＭ（ＤＤＲ４  ＳＤＲＡＭ）を含んでよい。
【００５０】
一実施形態についてのシステム制御モジュール４１０は、ＮＶＭ／ストレージ４２０および（複数の）通信インタフェース４２５にインタフェースを提供するべく、１または複数の入力／出力（Ｉ／Ｏ）コントローラを含んでよい。
【００５１】
ＮＶＭ／ストレージ４２０は、例えばデータおよび／または複数の命令を格納するために用いられ得る。ＮＶＭ／ストレージ４２０は、例えばフラッシュメモリ等の任意の適切な不揮発性メモリを含んでよく、および／または、例えば１または複数のハードディスクドライブ（ＨＤＤ）、１または複数のコンパクトディスクドライブ（ＣＤ）、および／または１または複数のデジタル多用途ディスク（ＤＶＤ）ドライブ等、（複数の）任意の適切な不揮発性記憶デバイスを含んでよい。
【００５２】
ＮＶＭ／ストレージ４２０は、システム４００がインストールされ得るデバイスの物理的な一部であるストレージリソースを含んでよく、または必ずしも当該デバイスの一部でないがそれにアクセス可能であってよい。例えば、ＮＶＭ／ストレージ４２０は、（複数の）通信インタフェース４２５を介してネットワーク上でアクセスされ得る。
【００５３】
（複数の）通信インタフェース４２５は、システム４００のためのインタフェースを提供し得、１または複数のネットワーク上で、および／または（複数の）他の適切なデバイスを用いて通信する。システム４００は、１または複数の無線ネットワーク規格および／またはプロトコルの何れかに従って、無線ネットワークの１または複数のコンポーネントと無線通信してよい。いくつかの実施形態において、（複数の）通信インタフェース４２５は、送受信機モジュール１２２または１３５を含んでよい。
【００５４】
一実施形態では、（複数の）プロセッサ４０５のうち少なくとも１つが、例えばメモリ制御モジュール４３０等、システム制御モジュール４１０の１または複数のコントローラのためのロジックと一緒にパッケージ化され得る。一実施形態では、（複数の）プロセッサ４０５のうち少なくとも１つは、システムインパッケージ（ＳｉＰ）を形成するべく、システム制御モジュール４１０の１または複数のコントローラに関して一緒にパッケージ化され得る。一実施形態では、（複数の）プロセッサ４０５のうち少なくとも１つは、システム制御モジュール４１０の１または複数のコントローラのためのロジックと同じダイ上で集積され得る。一実施形態では、（複数の）プロセッサ４０５のうち少なくとも１つは、システムオンチップ（ＳｏＣ）を形成するべく、システム制御モジュール４１０の１または複数のコントローラのためのロジックと同じダイ上で集積され得る。
【００５５】
いくつかの実施形態において、（複数の）プロセッサ４０５は、グラフィックプロセッサ（ＧＰＵ）（不図示）、デジタル信号プロセッサ（ＤＳＰ）（不図示）、無線モデム（不図示）、デジタルカメラまたはマルチメディア回路（不図示）、センサ回路（不図示）、ディスプレイ回路（不図示）、および／またはグローバルポジショニング衛星（ＧＰＳ）回路（不図示）のうち１または複数を含んでよい、またはそうでない場合、それらのうち１または複数に結合され得る。
【００５６】
様々な実施形態において、システム４００は、限定はされないが、サーバ、ワークステーション、デスクトップコンピューティングデバイス、またはモバイルコンピューティングデバイス（例えば、ラップトップコンピューティングデバイス、ハンドヘルド型コンピューティングデバイス、タブレット、ネットブック、スマートフォン、ゲーム機など）であってよい。様々な実施形態において、システム４００は、いくらかのコンポーネント、および／または複数の異なるアーキテクチャを有してよい。例えば、いくつかの実施形態において、システム４００は、カメラ、キーボード、液晶ディスプレイ（ＬＣＤ）画面（タッチ画面ディスプレイを含む）、不揮発性メモリポート、複数の多重アンテナ、グラフィックチップ、アプリケーション固有の集積回路（ＡＳＩＣ）、およびスピーカのうち１または複数を含む。
【００５７】
例
第１の例は、複数の受信されたＵＬ／ＤＬ構成において、第１のアップリンク／ダウンリンク（ＵＬ／ＤＬ）構成における複数のダウンリンク（ＤＬ）サブフレームおよびダウンリンクパイロットタイムスロット（ＤｗＰＴＳ）を含む複数のサブフレームのみに基づいて、無線フレームにおける複数のＤＬサブフレームおよびＤｗＰＴＳを含む複数のサブフレームを特定するプロセッサと、複数のＤＬサブフレームのうち少なくとも１つとＤｗＰＴＳを含む複数のサブフレームとのうち１つに基づいて実行中のＤＲＸタイマをインクリメントし、複数のＤＬサブフレームのうち少なくとも１つとＤｗＰＴＳを含む複数のサブフレームとのうち１つを、物理ダウンリンク制御チャネル（ＰＤＣＣＨ）送信または拡張型ＰＤＣＣＨ（ｅＰＤＣＣＨ）送信について監視する不連続受信（ＤＲＸ）モジュールと、を備えるユーザ機器（ＵＥ）であって、第１のＵＬ／ＤＬ構成における複数のＤＬサブフレームおよびＤｗＰＴＳを含む複数のサブフレームのうち少なくとも１つは、複数の受信されたＵＬ／ＤＬ構成における第２のＵＬ／ＤＬ構成に基づいて、無線フレームにおいてＵＬサブフレームとして特定される、ユーザ機器を含んでよい。
【００５８】
例２は、ＵＥが、拡張された干渉軽減およびトラフィック適合（ｅＩＭＴＡ）がイネーブルにされたＵＥである例１に記載のＵＥを含んでよい。
【００５９】
例３は、ＤＲＸタイマがＤＲＸ継続タイマ、ＤＲＸ非活動タイマ、またはＤＲＸ再送信タイマである、例１に記載のＵＥを含んでよい。
【００６０】
例４は、第１または第２のＵＬ／ＤＬ構成が、ｅＮｏｄｅＢ（ｅＮＢ）からのシステム情報ブロックタイプ１（ＳＩＢ１）メッセージにおいてＵＥによって受信されるＵＬ／ＤＬ構成、無線リソース制御（ＲＲＣ）シグナリングを介してＵＥによって受信されるＵＬ／ＤＬ構成、または第１のサブフレームまたは１つの無線フレームのより高い層で構成された複数のサブフレームにおけるＰＤＣＣＨまたはｅＰＤＣＣＨメッセージにおいて、ＵＥによって受信されたＵＬ／ＤＬ構成である、例１に記載のＵＥを含んでよい。
【００６１】
例５は、第１のＵＬ／ＤＬ構成がＳＩＢ１メッセージにおけるＵＥによって受信されるＵＬ／ＤＬ構成であって、且つ無線フレームにおける複数のＤＬサブフレームおよびＤｗＰＴＳを含む複数のサブフレームは、ＳＩＢ１メッセージにおいて示される複数の可能なＵＬ／ＤＬ構成における複数のＤＬサブフレームおよびＤｗＰＴＳを含む複数のサブフレームである、例４に記載のＵＥを含んでよい。
【００６２】
例６は、第１のＵＬ／ＤＬ構成が、ＳＩＢ１メッセージにおいて示されたＵＬ／ＤＬ構成である、例４に記載のＵＥを含んでよい。
【００６３】
例７は、第１のＵＬ／ＤＬ構成が、ＲＲＣシグナリングによって構成される第２のＵＬ／ＤＬ構成である、例４に記載のＵＥを含んでよい。
【００６４】
例８は、第１のＵＬ／ＤＬ構成が、１つの無線フレームの第１のサブフレームまたはより高い層で構成された複数のサブフレームにおけるＰＤＣＣＨまたはｅＰＤＣＣＨメッセージにおいてＵＥによって受信されるＵＬ／ＤＬ構成である、例４に記載のＵＥを含んでよい。
【００６５】
例９は、プロセッサに結合されたディスプレイ回路を更に備える、例１―８の何れか一つに記載のＵＥを含んでよい。
【００６６】
例１０は、ユーザ機器（ＵＥ）の１または複数のプロセッサによる複数の命令の実行の際、ＵＥに、複数の無線フレームにおける複数のサブフレームに適用可能な複数のアップリンク／ダウンリンク（ＵＬ／ＤＬ）構成を特定させ、複数の無線フレームにおける無線フレームの第１のサブフレームまたはより高い層で構成された複数のサブフレームにおいて、物理ダウンリンク制御チャネル（ＰＤＣＣＨ）または拡張型ＰＤＣＣＨ（ｅＰＤＣＣＨ）メッセージにおいて受信された、無線フレームにおける複数のサブフレームに適用可能な示されたＵＬ／ＤＬ構成を特定させ、複数のＵＬ／ＤＬ構成におけるＵＬ／ＤＬ構成のうち第１の一つおよび示されたＵＬ／ＤＬ構成のみに基づいて、無線フレームにおいて複数のＤＬサブフレームまたはダウンリンクパイロットタイムスロット（ＤｗＰＴＳ）を含む複数のサブフレームを特定させ、複数の特定されたＤＬサブフレームおよびＤｗＰＴＳを含む複数のサブフレームのみに基づいて、実行中の不連続受信（ＤＲＸ）タイマをインクリメントさせ、複数の特定されたＤＬサブフレームおよびＤｗＰＴＳを含む複数のサブフレームを、ＤＲＸタイマが実行中の間にＰＤＣＣＨメッセージについて監視させるように構成された複数の命令を備える、１または複数の非一時的コンピュータ可読媒体を含んでよく、複数のＤＬサブフレームまたはＤｗＰＴＳを含む複数のサブフレームは、複数のＵＬ／ＤＬ構成および示されたＵＬ／ＤＬ構成の第２の一つにおけるＵＬサブフレームである。
【００６７】
例１１は、複数のＵＬ／ＤＬ構成におけるＵＬ／ＤＬ構成が、ｅＮｏｄｅＢ（ｅＮＢ）からのシステム情報ブロックタイプ１（ＳＩＢ１）メッセージにおいて受信される、例１０に記載の１または複数の非一時的コンピュータ可読媒体を含んでよい。
【００６８】
例１２は、複数の命令は、更に、ＳＩＢ１メッセージにおいて示される複数の可能なＵＬ／ＤＬ構成における複数のＤＬサブフレームまたはＤｗＰＴＳを含む複数のサブフレームである、複数のＤＬサブフレームおよびＤｗＰＴＳを含む複数のサブフレームを特定するものである、例１１に記載の１または複数の非一時的コンピュータ可読媒体を含んでよい。
【００６９】
例１３は、複数のＵＬ／ＤＬ構成のうち第１の一つがＳＩＢ１メッセージにおいて受信されるＵＬ／ＤＬ構成である、例１１に記載の１または複数の非一時的コンピュータ可読媒体を含んでよい。
【００７０】
例１４は、複数のＵＬ／ＤＬ構成の第１の一つが、無線リソース制御（ＲＲＣ）シグナリングによって示されたＵＬ／ＤＬ構成である、例１１に記載の１または複数の非一時的コンピュータ可読媒体を含んでよい。
【００７１】
例１５は、複数のＵＬ／ＤＬ構成のうち第１の一つは、複数の無線フレームにおける第１のサブフレームまたは無線フレームのより高い層で構成された複数のサブフレームにおけるＰＤＣＣＨまたはｅＰＤＣＣＨメッセージにおいて示されたＵＬ／ＤＬ構成である、例１１に記載の１または複数の非一時的コンピュータ可読媒体を含んでよい。
【００７２】
例１６は、ＤＲＸタイマが、ＤＲＸ継続タイマ、ＤＲＸ非活動タイマ、またはＤＲＸ再送信タイマである、例１０―１５の何れか一つに記載の１または複数の非一時的コンピュータ可読媒体を含んでよい。
【００７３】
例１７は、ＵＥが拡張された干渉軽減およびトラフィック適合（ｅＩＭＴＡ）がイネーブルにされたＵＥである、例１０―１５の何れか一つに記載の１または複数の非一時的コンピュータ可読媒体を含んでよい。
【００７４】
例１８は、ＵＥで、無線フレームの複数のサブフレームに適用可能な複数のアップリンク／ダウンリンク（ＵＬ／ＤＬ）構成のそれぞれのインジケーションを受信する段階と、複数のＵＬ／ＤＬ構成における第１のＵＬ／ＤＬ構成のみに基づいて、無線フレームの複数のサブフレームにおいて、複数のＤＬサブフレームおよびダウンリンクパイロットタイムスロット（ＤｗＰＴＳ）を含む複数のサブフレームを、ＵＥによって特定する段階と、ＵＥの不連続受信（ＤＲＸ）動作に関連するタイマを、ＵＥによって開始する段階と、ＵＥのＤＲＸ動作に関連するタイマが実行中の間に、物理ダウンリンク制御チャネル（ＰＤＣＣＨ）または拡張型ＰＤＣＣＨ（ｅＰＤＣＣＨ）を、複数の特定されたＤＬサブフレームおよびＤｗＰＴＳを含む複数のサブフレームの間のみ、メッセージに関して、ＵＥによって監視する段階と、無線フレームにおける複数の特定されたＤＬサブフレームおよびＤｗＰＴＳを含む複数のサブフレームのみに基づいて、複数のＤＲＸタイマをＵＥによってインクリメントする段階と、を備える方法であって、複数の特定されたＤＬサブフレームおよびＤｗＰＴＳを含む複数のサブフレームは、複数のＵＬ／ＤＬ構成の第２のＵＬ／ＤＬ構成における複数のＵＬサブフレームである、方法を含んでよい。
【００７５】
例１９は、それぞれのインジケーションにおけるインジケーションは、ｅＮｏｄｅＢ（ｅＮＢ）からのシステム情報ブロックタイプ１（ＳＩＢ１）メッセージにおいてＵＥによって受信される、例１８に記載の方法を含んでよい。
【００７６】
例２０は、第１のＵＬ／ＤＬ構成を、ＳＩＢ１メッセージにおいて受信されたインジケーションのみに基づいて、ＵＥによって特定する段階を更に備える、例１９に記載の方法を含んでよい。
【００７７】
例２１は、インジケーションが、第１のインジケーションであって、それぞれのインジケーションの第２のインジケーションは、無線リソース制御（ＲＲＣ）シグナリングを介してＵＥによって受信され、それぞれのインジケーションの第３のインジケーションは、無線フレームの第１のサブフレームまたはより高い層で構成された複数のサブフレームにおいてＰＤＣＣＨまたはｅＰＤＣＣＨメッセージにおけるＵＥによって受信される、例１９に記載の方法を含んでよい。
【００７８】
例２２は、無線フレームの複数のサブフレームにおいて、複数のＤＬサブフレームおよびＤｗＰＴＳを含む複数のサブフレームを、第２のインジケーションまたは第３のインジケーションのうち１つのみに基づいて、ＵＥによって特定する段階、を更に備える、例２１に記載の方法を含んでよい。
【００７９】
例２３は、タイマがＤＲＸ継続タイマ、ＤＲＸ非活動タイマ、またはＤＲＸ再送信タイマである、例１８―２２の何れか一つに記載の方法を含んでよい。
【００８０】
例２４は、ＵＥが拡張された干渉軽減およびトラフィック適合（ｅＩＭＴＡ）がイネーブルにされたＵＥである、例１８―２２の何れか一つに記載の方法を含んでよい。
【００８１】
例２５は、例１８―２４の何れか一項に記載の方法を実行する手段を備える装置を含んでよい。
【００８２】
特定の実施形態が、本明細書において、説明の目的で例示され説明されたが、本出願は、本明細書において議論された複数の実施形態の如何なる改変または変形もカバーすることを意図している。従って、本明細書において説明された複数の実施形態は、特許請求の範囲によってのみ限定されることは、明白に意図されている。
【００８３】
本開示が「１つの（ａ）」または「第１の（ａ  ｆｉｒｓｔ）」要素またはそれらの均等物について記載する場合、そのような開示は、１または複数のそのような要素を含むが、２またはそれより多くのそのような要素を必要ともせず除外もしない。更に、特定された複数の要素に対する序数表示（例えば、第１、第２または第３）は、複数の要素間を区別するために用いられ、そのような要素の必要な数または限定の数を指定も示唆もしておらず、また他に記載されない限り、そのような要素の特定の位置または順序を示すこともしない。
【００８４】
［項目］
［項目１］  複数の受信されたＵＬ／ＤＬ構成において、第１のアップリンク／ダウンリンク（ＵＬ／ＤＬ）構成における複数のダウンリンク（ＤＬ）サブフレームおよびダウンリンクパイロットタイムスロット（ＤｗＰＴＳ）を含む複数のサブフレームのみに基づいて、無線フレームにおける複数のＤＬサブフレームおよびＤｗＰＴＳを含む複数のサブフレームを特定するプロセッサと、上記複数のＤＬサブフレームのうち少なくとも１つとＤｗＰＴＳを含む複数のサブフレームとのうち１つに基づいて、実行中のＤＲＸタイマをインクリメントし、上記複数のＤＬサブフレームのうち少なくとも１つとＤｗＰＴＳを含む複数のサブフレームとのうち１つを、物理ダウンリンク制御チャネル（ＰＤＣＣＨ）送信または拡張型ＰＤＣＣＨ（ｅＰＤＣＣＨ）送信について監視する不連続受信（ＤＲＸ）モジュールと、を備えるユーザ機器（ＵＥ）であって、上記第１のＵＬ／ＤＬ構成における上記複数のＤＬサブフレームおよびＤｗＰＴＳを含む複数のサブフレームのうち少なくとも１つは、上記複数の受信されたＵＬ／ＤＬ構成における第２のＵＬ／ＤＬ構成に基づいて、上記無線フレームにおいてＵＬサブフレームとして特定される、ユーザ機器。
［項目２］  上記ＵＥは、拡張された干渉軽減およびトラフィック適合（ｅＩＭＴＡ）がイネーブルにされたＵＥである、項目１に記載のＵＥ。
［項目３］  上記ＤＲＸタイマは、ＤＲＸ継続タイマ、ＤＲＸ非活動タイマ、またはＤＲＸ再送信タイマである、項目１に記載のＵＥ。
［項目４］  上記第１または第２のＵＬ／ＤＬ構成は、ｅＮｏｄｅＢ（ｅＮＢ）からのシステム情報ブロックタイプ１（ＳＩＢ１）メッセージにおいて上記ＵＥによって受信されるＵＬ／ＤＬ構成、無線リソース制御（ＲＲＣ）シグナリングを介して上記ＵＥによって受信されるＵＬ／ＤＬ構成、または第１のサブフレームまたは１つの無線フレームのより高い層で構成された複数のサブフレームにおけるＰＤＣＣＨまたはｅＰＤＣＣＨメッセージにおいて、上記ＵＥによって受信されたＵＬ／ＤＬ構成である、項目１に記載のＵＥ。
［項目５］  上記第１のＵＬ／ＤＬ構成は、上記ＳＩＢ１メッセージにおける上記ＵＥによって受信される上記ＵＬ／ＤＬ構成であって、且つ上記無線フレームにおける上記複数のＤＬサブフレームおよびＤｗＰＴＳを含む複数のサブフレームは、上記ＳＩＢ１メッセージにおいて示される複数の可能なＵＬ／ＤＬ構成における複数のＤＬサブフレームおよびＤｗＰＴＳを含む複数のサブフレームである、項目４に記載のＵＥ。
［項目６］  上記第１のＵＬ／ＤＬ構成は、上記ＳＩＢ１メッセージにおいて示される上記ＵＬ／ＤＬ構成である、項目４に記載のＵＥ。
［項目７］  上記第１のＵＬ／ＤＬ構成は、ＲＲＣシグナリングによって構成される上記第２のＵＬ／ＤＬ構成である、項目４に記載のＵＥ。
［項目８］  上記第１のＵＬ／ＤＬ構成は、第１のサブフレームまたは上記無線フレームのより高い層で構成された複数のサブフレームにおける上記ＰＤＣＣＨまたは上記ｅＰＤＣＣＨメッセージにおいて上記ＵＥによって受信される上記ＵＬ／ＤＬ構成である、項目４に記載のＵＥ。
［項目９］上記プロセッサに結合されたディスプレイ回路を更に備える、項目１−８の何れか一項に記載のＵＥ。
［項目１０］  ユーザ機器（ＵＥ）の１または複数のプロセッサによる複数の命令の実行の際、上記ＵＥに、複数の無線フレームにおける複数のサブフレームに適用可能な複数のアップリンク／ダウンリンク（ＵＬ／ＤＬ）構成を特定させ、上記複数の無線フレームにおける無線フレームの第１のサブフレームまたはより高い層で構成された複数のサブフレームにおいて、物理ダウンリンク制御チャネル（ＰＤＣＣＨ）または拡張型ＰＤＣＣＨ（ｅＰＤＣＣＨ）メッセージにおいて受信された、示されたＵＬ／ＤＬ構成を特定させ、上記複数のＵＬ／ＤＬ構成における上記ＵＬ／ＤＬ構成のうち第１の一つおよび上記示されたＵＬ／ＤＬ構成のみに基づいて、上記無線フレームにおいて複数のＤＬサブフレームまたはダウンリンクパイロットタイムスロット（ＤｗＰＴＳ）を含む複数のサブフレームを特定させ、複数の特定されたＤＬサブフレームおよびＤｗＰＴＳを含む複数のサブフレームのみに基づいて、実行中の不連続受信（ＤＲＸ）タイマをインクリメントさせ、上記複数の特定されたＤＬサブフレームおよびＤｗＰＴＳを含む複数のサブフレームを、上記ＤＲＸタイマが実行している間にＰＤＣＣＨメッセージについて監視させる、ように構成された複数の命令を備える、１または複数の非一時的コンピュータ可読媒体であって、上記示されたＵＬ／ＤＬ構成は、上記無線フレームにおける複数のサブフレームに適用可能であって、上記複数のＤＬサブフレームまたはＤｗＰＴＳを含む複数のサブフレームは、上記複数のＵＬ／ＤＬ構成および上記示されたＵＬ／ＤＬ構成の第２の一つにおけるＵＬサブフレームである、１または複数の非一時的コンピュータ可読媒体。
［項目１１］  上記複数のＵＬ／ＤＬ構成におけるＵＬ／ＤＬ構成は、ｅＮｏｄｅＢ（ｅＮＢ）からのシステム情報ブロックタイプ１（ＳＩＢ１）メッセージにおいて受信される、項目１０に記載の１または複数の非一時的コンピュータ可読媒体。
［項目１２］  上記複数の命令は、更に、上記ＳＩＢ１メッセージにおいて示される複数の可能なＵＬ／ＤＬ構成における複数のＤＬサブフレームまたはＤｗＰＴＳを含む複数のサブフレームである、上記複数のＤＬサブフレームおよびＤｗＰＴＳを含む複数のサブフレームを特定するものである、項目１１に記載の１または複数の非一時的コンピュータ可読媒体。
［項目１３］  上記複数のＵＬ／ＤＬ構成のうち第１の一つは、上記ＳＩＢ１メッセージにおいて受信される上記ＵＬ／ＤＬ構成である、項目１１に記載の１または複数の非一時的コンピュータ可読媒体。
［項目１４］  上記複数のＵＬ／ＤＬ構成のうち上記第１の一つは、無線リソース制御（ＲＲＣ）シグナリングによって示されるＵＬ／ＤＬ構成である、項目１１に記載の１または複数の非一時的コンピュータ可読媒体。
［項目１５］  上記複数のＵＬ／ＤＬ構成のうち上記第１の一つは、上記複数の無線フレームにおける上記第１のサブフレームまたは上記無線フレームのより高い層で構成された複数のサブフレームにおける上記ＰＤＣＣＨまたは上記ｅＰＤＣＣＨメッセージにおいて示されたＵＬ／ＤＬ構成である、項目１１に記載の１または複数の非一時的コンピュータ可読媒体。
［項目１６］  上記ＤＲＸタイマは、ＤＲＸ継続タイマ、ＤＲＸ非活動タイマ、またはＤＲＸ再送信タイマである、項目１０―１５の何れか一項に記載の１または複数の非一時的コンピュータ可読媒体。
［項目１７］  上記ＵＥは、拡張された干渉軽減およびトラフィック適合（ｅＩＭＴＡ）がイネーブルにされたＵＥである、項目１０―１５の何れか一項に記載の１または複数の非一時的コンピュータ可読媒体。
［項目１８］  ＵＥで、無線フレームの複数のサブフレームに適用可能な複数のアップリンク／ダウンリンク（ＵＬ／ＤＬ）構成のそれぞれのインジケーションを受信する段階と、上記複数のＵＬ／ＤＬ構成における第１のＵＬ／ＤＬ構成のみに基づいて、上記ＵＥによって、上記無線フレームの上記複数のサブフレームにおいて、複数のＤＬサブフレームおよびダウンリンクパイロットタイムスロット（ＤｗＰＴＳ）を含む複数のサブフレームを特定する段階であって、上記複数の特定されたＤＬサブフレームおよびＤｗＰＴＳを含む複数のサブフレームは、上記複数のＵＬ／ＤＬ構成における第２のＵＬ／ＤＬ構成においての複数のＵＬサブフレームである、段階と、上記ＵＥによって、上記ＵＥの不連続受信（ＤＲＸ）動作に関連するタイマを開始する段階と、上記ＵＥの上記ＤＲＸ動作に関連する上記タイマが実行中の間に、物理ダウンリンク制御チャネル（ＰＤＣＣＨ）または拡張型ＰＤＣＣＨ（ｅＰＤＣＣＨ）を、上記複数の特定されたＤＬサブフレームおよびＤｗＰＴＳを含む複数のサブフレームの間のみ、メッセージについて、上記ＵＥによって監視する段階と、上記無線フレームにおける上記複数の特定されたＤＬサブフレームおよびＤｗＰＴＳを含む複数のサブフレームのみに基づいて、上記ＵＥによって複数の上記ＤＲＸタイマをインクリメントする段階と、を備える方法。
［項目１９］  上記それぞれのインジケーションにおけるインジケーションは、上記ＵＥによってｅＮｏｄｅＢ（ｅＮＢ）からのシステム情報ブロックタイプ１（ＳＩＢ１）メッセージにおいて受信される、項目１８に記載の方法。
［項目２０］  上記ＳＩＢ１メッセージにおいて受信される上記インジケーションにのみに基づいて、上記第１のＵＬ／ＤＬ構成を上記ＵＥによって特定する段階を更に備える、項目１９に記載の方法。
［項目２１］  上記インジケーションは、第１のインジケーションであって、上記それぞれのインジケーションの第２のインジケーションは、無線リソース制御（ＲＲＣ）シグナリングを介してＵＥによって受信され、上記それぞれのインジケーションの第３のインジケーションは、第１のサブフレームまたは上記無線フレームのより高い層で構成された複数のサブフレームにおけるＰＤＣＣＨまたはｅＰＤＣＣＨメッセージににおいて上記ＵＥによって受信される、項目１９に記載の方法。
［項目２２］  上記無線フレームの上記複数のサブフレームにおいて、複数のＤＬサブフレームおよびＤｗＰＴＳを含む複数のサブフレームを、上記第２のインジケーションまたは上記第３のインジケーションのうち一方のみに基づいて、上記ＵＥによって特定する段階を更に備える、項目２１に記載の方法。
［項目２３］  上記タイマは、ＤＲＸ継続タイマ、ＤＲＸ非活動タイマ、またはＤＲＸ再送信タイマである、項目１８―２２の何れか一項に記載の方法。
［項目２４］  上記ＵＥは、拡張された干渉軽減およびトラフィック適合が（ｅＩＭＴＡ）がイネーブルにされたＵＥである、項目１８―２２の何れか一項に記載の方法。
［項目２５］  項目１８―２４の何れか一項に記載の方法を実行する手段を備える装置。
［補正請求項］
２０１５年１月２０日（２０１５．０１．２０）、国際事務局によって受信された。
【図１】
2018026883.tif 000004
【図２】
2018026883.tif 000005
【図３】
2018026883.tif 000006
【図４】
2018026883.tif 000007
【手続補正書】
【提出日】平成29年11月16日(2017.11.16)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）であって、
前記ＵＥの１又は複数のアンテナによって基地局から受信された物理層信号において、複数の時分割多重（ＴＤＤ）アップリンク／ダウンリンク（ＵＬ／ＤＬ）構成の第１のＴＤＤ  ＵＬ／ＤＬ構成の指標を特定する送受信機と、
前記送受信機と結合されたプロセッサと
を備え、
前記プロセッサは、
前記ＴＤＤ  ＵＬ／ＤＬ構成のＤＬサブフレームであるサブフレームを特定し、
前記基地局によって送信された物理ダウンリンク制御チャネル（ＰＤＣＣＨ）送信用の前記サブフレームを監視し、
前記サブフレームは、複数の前記ＴＤＤ  ＵＬ／ＤＬ構成の第２のＴＤＤ  ＵＬ／ＤＬ構成のＵＬサブフレームである
ＵＥ。
【請求項２】
前記物理層信号が物理ダウンリンク制御チャネル信号である
請求項１に記載のＵＥ。
【請求項３】
前記ＰＤＣＣＨの送信が拡張型ＰＤＣＣＨ（ｅＰＤＣＣＨ）送信である
請求項１に記載のＵＥ。
【請求項４】
前記ＴＤＤ  ＵＬ／ＤＬ構成は、拡張された干渉軽減およびトラフィック適合（ｅＩＭＴＡ）動作に関連する
請求項１から３のいずれか一項に記載のＵＥ。
【請求項５】
前記サブフレームは、複数の前記ＴＤＤ  ＵＬ／ＤＬ構成のフレキシブルなサブフレームである
請求項１から３のいずれか一項に記載のＵＥ。
【請求項６】
前記ＰＤＣＣＨの送信は、前記ＵＥの不連続受信（ＤＲＸ）動作に関連する
請求項１から３のいずれか一項に記載のＵＥ。
【請求項７】
ユーザ機器（ＵＥ）の１又は複数のプロセッサによって命令が実行されると、前記ＵＥに、
基地局から受信された物理層信号において、複数の時分割多重（ＴＤＤ）アップリンク／ダウンリンク（ＵＬ／ＤＬ）構成の第１のＴＤＤ  ＵＬ／ＤＬ構成の指標を特定させ、
前記ＴＤＤ  ＵＬ／ＤＬ構成のＤＬサブフレームであるサブフレームを特定させ、
前記基地局によって送信された物理ダウンリンク制御チャネル（ＰＤＣＣＨ）送信用の前記サブフレームを監視させる
命令を含み、
前記サブフレームは、複数の前記ＴＤＤ  ＵＬ／ＤＬ構成の第２のＴＤＤ  ＵＬ／ＤＬ構成のＵＬサブフレームである
プログラム。
【請求項８】
前記物理層信号が物理ダウンリンク制御チャネル信号である
請求項７に記載のプログラム。
【請求項９】
前記ＰＤＣＣＨの送信が拡張型ＰＤＣＣＨ（ｅＰＤＣＣＨ）送信である
請求項７に記載のプログラム。
【請求項１０】
前記ＴＤＤ  ＵＬ／ＤＬ構成は、拡張された干渉軽減およびトラフィック適合（ｅＩＭＴＡ）動作に関連する
請求項７から９のいずれか一項に記載のプログラム。
【請求項１１】
前記監視することは、前記ＵＥの不連続受信（ＤＲＸ）動作に関連する
請求項７から９のいずれか一項に記載のプログラム。
【請求項１２】
前記サブフレームは、複数の前記ＴＤＤ  ＵＬ／ＤＬ構成のフレキシブルなサブフレームである
請求項７から９のいずれか一項に記載のプログラム。
【請求項１３】
請求項７から１２のいずれか一項に記載のプログラムを格納したコンピュータ可読記録媒体。
【請求項１４】
ユーザ機器（ＵＥ）によって、基地局から受信された物理層信号において、複数の時分割多重（ＴＤＤ）アップリンク／ダウンリンク（ＵＬ／ＤＬ）構成の第１のＴＤＤ  ＵＬ／ＤＬ構成の指標を特定する段階と、
前記ＵＥによって、前記ＴＤＤ  ＵＬ／ＤＬ構成のＤＬサブフレームであるサブフレームを特定する段階と、
前記ＵＥによって、前記基地局によって送信された物理ダウンリンク制御チャネル（ＰＤＣＣＨ）送信用の前記サブフレームを監視する段階と
を備え、
前記サブフレームは、複数の前記ＴＤＤ  ＵＬ／ＤＬ構成の第２のＴＤＤ  ＵＬ／ＤＬ構成のＵＬサブフレームである
方法。
【請求項１５】
前記物理層信号が物理ダウンリンク制御チャネル信号である
請求項１４に記載の方法。
【請求項１６】
前記ＰＤＣＣＨの送信が拡張型ＰＤＣＣＨ（ｅＰＤＣＣＨ）送信である
請求項１４に記載の方法。
【請求項１７】
前記ＴＤＤ  ＵＬ／ＤＬ構成は、拡張された干渉軽減およびトラフィック適合（ｅＩＭＴＡ）動作に関連する
請求項１４から１６のいずれか一項に記載の方法。
【請求項１８】
前記監視する段階は、前記ＵＥの不連続受信（ＤＲＸ）動作に関連する
請求項１４から１６のいずれか一項に記載の方法。
【請求項１９】
前記サブフレームは、複数の前記ＴＤＤ  ＵＬ／ＤＬ構成のフレキシブルなサブフレームである
請求項１４から１６のいずれか一項に記載の方法。
【請求項２０】
基地局から受信された物理層信号において、複数の時分割多重（ＴＤＤ）アップリンク／ダウンリンク（ＵＬ／ＤＬ）構成の第１のＴＤＤ  ＵＬ／ＤＬ構成の指標を特定する手段と、
前記ＴＤＤ  ＵＬ／ＤＬ構成のＤＬサブフレームであるサブフレームを特定する手段と、
前記基地局によって送信された物理ダウンリンク制御チャネル（ＰＤＣＣＨ）送信用の前記サブフレームを監視する手段と
を備え、
前記サブフレームは、複数の前記ＴＤＤ  ＵＬ／ＤＬ構成の第２のＴＤＤ  ＵＬ／ＤＬ構成のＵＬサブフレームである
装置。
【請求項２１】
前記物理層信号が物理ダウンリンク制御チャネル信号である
請求項２０に記載の装置。
【請求項２２】
前記ＰＤＣＣＨの送信が拡張型ＰＤＣＣＨ（ｅＰＤＣＣＨ）送信である
請求項２０に記載の装置。
【請求項２３】
前記ＴＤＤ  ＵＬ／ＤＬ構成は、拡張された干渉軽減およびトラフィック適合（ｅＩＭＴＡ）動作に関連する
請求項２０から２２のいずれか一項に記載の装置。
【請求項２４】
前記監視することは、前記装置の不連続受信（ＤＲＸ）動作に関連する
請求項２０から２２のいずれか一項に記載の装置。
【請求項２５】
前記サブフレームは、複数の前記ＴＤＤ  ＵＬ／ＤＬ構成のフレキシブルなサブフレームである
請求項２０から２２のいずれか一項に記載の装置。